(57)【要約】【課題】開脚運動器に関し、特にステップ台が回転するものに関する。【解決手段】開脚運動器であって、床面に載置される底座１、底座１から上方にのびるハンドル２、スライドレール３、使用者の足が載せられるステップ台４、及び弾性ゴムバンド５を含み、前記スライドレール３は、左スライドレール３１と右スライドレール３２とを含み、左スライドレール３１と右スライドレール３２とは、前記底座１の両側に連結され、左スライドレール３１と右スライドレール３２とは、レールが其々に外側へのびており、前記各スライドレール上に、前記ステップ台４が、前記スライドレールを往復に動作可能に設けられ、しかも前記ステップ台４は、垂直な軸の回りに回転可能であることを特徴とする。【選択図】図１
0003168541.tif 000002
【実用新案登録請求の範囲】
【請求項１】
開脚運動器であって、床面に載置される底座、底座から上方にのびるハンドル、スライドレール、使用者の足が載せられるステップ台、及び弾性ゴムバンドを含み、
前記スライドレールは、左スライドレールと右スライドレールとを含み、左スライドレールと右スライドレールとは、前記底座の両側に対称的に連結され、
左スライドレールと右スライドレールとは、レールが其々に外側へのびており、
前記各スライドレール上に、前記ステップ台が、前記スライドレールを往復に動作可能に設けられ、
しかも前記ステップ台は、垂直な軸の回りに回転可能であることを特徴とする開脚運動器。
【請求項２】
前記ステップ台は、足を載せられる部分が円盤である請求項１記載の開脚運動器。
【請求項３】
前記弾性ゴムバンドの一端は、脱着自在な方式で前記スライドレールの外側に固定され、該弾性ゴムバンドの中間部分は前記底座に軸支された滑車に巻き掛けされるとともに、該弾性ゴムバンドの他端は、前記滑車で折り返されて脱着自在な方式で前記ステップ台に固定されることを特徴とする請求項１又は２記載の開脚運動器。
【請求項４】
前記弾性ゴムバンドの一端は、脱着自在な方式で前記底座に固定され、該弾性ゴムバンドの中間部分は前記スライドレールの外側に軸支された滑車に巻き掛けされるとともに、該弾性ゴムバンドの他端は、前記滑車で折り返されて脱着自在な方式で前記ステップ台に固定されることを特徴とする請求項１又は２記載の開脚運動器。
【請求項５】
前記弾性ゴムバンドは、該弾性ゴムバンドの一端が、脱着自在な方式で前記スライドレールの外側に固定され、該弾性ゴムバンドの中間部分は前記底座に軸支された滑車に巻き掛けされるとともに、該弾性ゴムバンドの他端は、前記滑車で折り返されて脱着自在な方式で前記ステップ台に固定される第１連結方式と、
前記弾性ゴムバンドの一端が、脱着自在な方式で前記底座に固定され、該弾性ゴムバンドの中間部分は前記スライドレールの外側に軸支された滑車に巻き掛けされるとともに、該弾性ゴムバンドの他端は、前記滑車で折り返されて脱着自在な方式で前記ステップ台に固定される第２連結方式とで選択的に取り付けられることを特徴とする請求項１又は２記載の開脚運動器。
【請求項６】
前記ステップ台は、円盤、基板、回転盤、滑車フレーム、左滑車セット、右滑車セット、ホックセットを含んで構成され、
前記滑車フレームの上面に支持軸を設け、前記回転盤は、自由に回転できるように転軸に挿入され、前記円盤は基板を通し前記回転盤と連結されて支持軸の周りを回転でき、
前記弾性ゴムバンドのホックが前記滑車フレームに固着され、左滑車セットと右滑車セットはそれぞれに滑車パイプの両側に対称的に固着される請求項１乃至５のいずれかに記載の記載の開脚運動器。
【請求項７】
前記左滑車セット及び右滑車セットは、各々、前記スライドレールに沿って並ぶ二つの滑車を含む請求項６記載の開脚運動器。
【請求項８】
前記ハンドルは、上グリップパイプ、下柱パイプ、及びノブボルトで構成され、上グリップパイプは、前記下柱パイプに挿入され、前記ノブボルトを通して固着される請求項１乃至７のいずれかに記載の開脚運動器。
【考案の詳細な説明】
【技術分野】
【０００１】
本考案は、開脚運動器に関し、特にステップ台が回転するものに関する。
【背景技術】
【０００２】
従来の運動器は、体の各部分の筋肉訓練のために設計され、腿部に作用するウォーカー式、腿収縮式、ステッパ式、アキレス腱伸ばし式などがある。しかし、同時に両腿の内と外側の筋肉と、筋すじの伸展と収縮とができる運動器は見られない。また、従来、開脚運動器が提案されており、このものは、主に底座に対称的に設置された二つのスライドレールと、このスライドレール上を滑るステップ台とを有し、両ステップ台が相対に動作する。
【考案の概要】
【考案が解決しようとする課題】
【０００３】
しかしながら、従来の開脚運動器では、使用者は、両足をステップ台に載せて、足を広げ又は閉じるといった単純な運動しか行えない。本考案の目的は、多様な鍛錬モードができる開脚運動器を提供することである。
【課題を解決するための手段】
【０００４】
本考案のうち請求項１記載の考案は、開脚運動器であって、床面に載置される底座、底座から上方にのびるハンドル、スライドレール、使用者の足が載せられるステップ台、及び弾性ゴムバンドを含み、前記スライドレールは、左スライドレールと右スライドレールとを含み、左スライドレールと右スライドレールとは、前記底座の両側に対称的に連結され、左スライドレールと右スライドレールとは、レールが其々に外側へのびており、前記各スライドレール上に、前記ステップ台が、前記スライドレールを往復に動作可能に設けられ、しかも前記ステップ台は、垂直な軸の回りに回転可能であることを特徴とする開脚運動器である。
【０００５】
また請求項２記載の考案は、前記ステップ台は、足を載せられる部分が円盤である請求項１記載の開脚運動器である。
【０００６】
また請求項３記載の考案は、前記弾性ゴムバンドの一端は、脱着自在な方式で前記スライドレールの外側に固定され、該弾性ゴムバンドの中間部分は前記底座に軸支された滑車に巻き掛けされるとともに、該弾性ゴムバンドの他端は、前記滑車で折り返されて脱着自在な方式で前記ステップ台に固定されることを特徴とする請求項１又は２記載の開脚運動器である。
【０００７】
また請求項４記載の考案は、前記弾性ゴムバンドの一端は、脱着自在な方式で前記底座に固定され、該弾性ゴムバンドの中間部分は前記スライドレールの外側に軸支された滑車に巻き掛けされるとともに、該弾性ゴムバンドの他端は、前記滑車で折り返されて脱着自在な方式で前記ステップ台に固定されることを特徴とする請求項１又は２記載の開脚運動器である。
【０００８】
また請求項５記載の考案は、前記弾性ゴムバンドは、該弾性ゴムバンドの一端が、脱着自在な方式で前記スライドレールの外側に固定され、該弾性ゴムバンドの中間部分は前記底座に軸支された滑車に巻き掛けされるとともに、該弾性ゴムバンドの他端は、前記滑車で折り返されて脱着自在な方式で前記ステップ台に固定される第１連結方式と、前記弾性ゴムバンドの一端が、脱着自在な方式で前記底座に固定され、該弾性ゴムバンドの中間部分は前記スライドレールの外側に軸支された滑車に巻き掛けされるとともに、該弾性ゴムバンドの他端は、前記滑車で折り返されて脱着自在な方式で前記ステップ台に固定される第２連結方式とで選択的に取り付けられることを特徴とする請求項１又は２記載の開脚運動器である。
【０００９】
また請求項６記載の考案は、前記ステップ台は、円盤、基板、回転盤、滑車フレーム、左滑車セット、右滑車セット、ホックセットを含んで構成され、前記滑車フレームの上面に支持軸を設け、前記回転盤は、自由に回転できるように転軸に挿入され、前記円盤は基板を通し前記回転盤と連結されて支持軸の周りを回転でき、前記弾性ゴムバンドのホックが前記滑車フレームに固着され、左滑車セットと右滑車セットはそれぞれに滑車パイプの両側に対称的に固着される請求項１乃至５のいずれかに記載の記載の開脚運動器である。
【００１０】
また請求項７記載の考案は、前記左滑車セット及び右滑車セットは、各々、前記スライドレールに沿って並ぶ二つの滑車を含む請求項６記載の開脚運動器である。
【００１１】
また請求項８記載の考案は、前記ハンドルは、上グリップパイプ、下柱パイプ、及びノブボルトで構成され、上グリップパイプは、前記下柱パイプに挿入され、前記ノブボルトを通して固着される請求項１乃至７のいずれかに記載の開脚運動器である。
【考案の効果】
【００１２】
本考案は、ステップ台が回転するため、多様化な鍛錬モードを実現できる。
【００１３】
また、請求項２の考案のように、前記弾性ゴムバンドの一端は、脱着自在な方式で前記スライドレールの外側に固定され、該弾性ゴムバンドの中間部分は前記底座に軸支された滑車に巻き掛けされるとともに、該弾性ゴムバンドの他端は、前記滑車で折り返されて脱着自在な方式で前記ステップ台に固定される場合（第１連結方式）、弾性ゴムバンドは、ステップ台を外側に移動させる際に負荷を与える。
【００１４】
また、請求項３の考案のように、前記弾性ゴムバンドの一端は、脱着自在な方式で前記底座に固定され、該弾性ゴムバンドの中間部分は前記スライドレールの外側に軸支された滑車に巻き掛けされるとともに、該弾性ゴムバンドの他端は、前記滑車で折り返されて脱着自在な方式で前記ステップ台に固定される場合（第２連結方式）、弾性ゴムバンドは、ステップ台を内側に移動させる際に負荷を与える。
【００１５】
さらに、請求項４の考案のように、弾性ゴムバンドの連結方式を第１連結方式と第２連結方式とで切替可能であるばあい、ステップ台がスライドレールを滑る内側への引っ張り力または外側への引っ張り力になり、これらで両腿の内側及び外側の筋肉と筋すじを伸展又は収縮させることができ、さらに多用な運動が可能になる。
【図面の簡単な説明】
【００１６】
【図１】本考案の実施形態を示す斜視図である。
【図２】本考案の底面斜視図である。
【図３】本考案のステップ台の分解斜視図である。
【図４】弾性ゴムバンドの連結方式の一例を示す斜視図である。
【図５】弾性ゴムバンドの連結方式の他の例を示す斜視図である。
【図６】本考案の開脚運動器に使用者が平行に立つ例を示す斜視図である。
【図７】図６の例での運動状態を示す斜視図である。
【図８】本考案の開脚運動器に使用者が前後に立つ例を示す斜視図である。
【図９】図７の例での運動状態を示す斜視図である。
【考案を実施するための形態】
【００１７】
以下、本考案の実施形態が図面に基づき説明される。
図１及び図２に示されるように、本物品の開脚運動器は、床面に載置される底座１、上下にのびるハンドル２、スライドレール３、ステップ台４、及び、弾性ゴムバンド５を含む。
【００１８】
前記ハンドル２は、上ハンドルパイプ２１と、下柱パイプ２３と、ノブボルト２２とで構成される。上ハンドルパイプ２１は、下柱パイプ２３に挿入して連結され、ノブボルト２３で固着される。
【００１９】
前記スライドレール３は、左スライドレール３１と右スライドレール３２とを含む。左スライドレール３１と右スライドレール３２とは、底座１の両側にそれぞれ連結され、外側へとのびている。スライドレール３のレール上には、ステップ台４が載せられ、該ステップ台４はスライドレール３に沿って往復に移動できる。
【００２０】
前記弾性ゴムバンド５の連結方式には２種類ある。例えば、図４に示されるように、弾性ゴムバンド５の一端が、取り外せる方式でスライドレール３の外側の脚部分の底部に固定され、そのゴムバンドの中間部分は底座１の底部に軸支された滑車等に巻き掛けされ、弾性ゴムバンド５の他端は、前記底座１で折り返されて取り外せる方式でステップ台４の底部に固定される（第１連結方式）。この方式では、弾性ゴムバンド５は、ステップ台４を外側に移動させる際に負荷を与える。
【００２１】
もう一つの方式は、図５に示されるように、弾性ゴムバンド５の一端が、取り外せる方式で底座１の底部に固定され、その弾性ゴムバンド５の中間部分がスライドレール３の外側の端の脚部分の底部で軸支された滑車等に巻き掛けされ、弾性ゴムバンド５の他端は、前記滑車で折り返されかつ取り外せる方式でステップ台４の底部に固定される（第１連結方式）。この方式では、弾性ゴムバンド５は、ステップ台４を内側に移動させる際に負荷を与える。
【００２２】
本実施形態では、弾性ゴムバンド５の両端が、それぞれ脱着自在に、座板１及びスライドレールの外側の端にかつ交換可能に取り付けられる方式であるため、前記第１連結方式と第２連結方式とが、使用者によって選択可能であり、また連結方式を切り替えることができる。
【００２３】
図３に示されるステップ台４は、最も上部に配されかつ使用者の足が載せられる円形状の円盤４１と、その下方に配される円形の基板４２と、その下方に配される小径かつ円形の回転盤４３と、その下方に配される滑車フレーム４４と、この滑車フレーム４４に設けられた左滑車セット４５と、前記滑車フレーム４４に設けられた右滑車セット４６と、ポック４７（図２に示されるように）とを含んで組立てられる。
【００２４】
前記滑車フレーム４４の上面には、垂直な支持軸４８が上向きに突出形成されている。回転盤４３は、支持軸４８に対して自由に回転できるように、支持軸４８に載せられている。円盤４１は、木板４２、回転盤４３に連結され、支持軸４８の周りを３６０度自由に回転できる。前記弾性ゴムバンド５の端部に設けられたホック４７は、滑車フレーム４４の底部に固着され、左滑車セット４５と右滑車セット４６は、それぞれ滑車フレーム４４の両側に対称的に固着されている。
【００２５】
前記左滑車セット４５及び右滑車セット４６は、どちらもスライドレール３の上面を転動しかつレールに沿って並ぶ二つの滑車と、それら２つの滑車の中間に配されかつスライドレール３の下面を転動する一つの滑車を含む。従って、ステップ台４は、これらの滑車により、スライドレール３に沿って滑らかに移動できる。
【００２６】
図６、図７に示されるように、使用者１０は、開脚運動器に平行かつ両足を平行に左右のステップ台４に載せて立ち、ステップ台４を左スライドレール３１と右スライドレール３２を往復に移動させて、左右の開脚鍛錬ができる。
【００２７】
図８、図９に示されるように、使用者１０は、両足をスライドレールの長手方向に沿って前後に左右のステップ台４に立ち、ステップ台４を左スライドレール３１と右スライドレール３２を往復に移動させることで、前後の開脚鍛錬ができる。また、ステップ台４が回転するため、図６の運動から図８の運動に容易に切り替えることができる。
【００２８】
以上に述べたものは、本考案の最良の実施例であるが、本考案の技術的範囲は、このような実施形態に限定されるものではない。即ち、本考案の技術的範囲は、実用新案登録請求の趣旨を逸脱しない範囲において、種々変更することができるのは言うまでもない。
【符号の説明】
【００２９】
１  座底
２  ハンドル
３  スライドレール
４  ステップ台
５  弾性ゴムバンド
【図１】
0003168541.tif 000003
【図２】
0003168541.tif 000004
【図３】
0003168541.tif 000005
【図４】
0003168541.tif 000006
【図５】
0003168541.tif 000007
【図６】
0003168541.tif 000008
【図７】
0003168541.tif 000009
【図８】
0003168541.tif 000010
【図９】
0003168541.tif 000011